(57)【要約】      （修正有）【課題】取扱いが容易で安価なロール巻きペーパーのホルダーを提供する。【解決手段】所定厚さの薄板を所定の形状寸法で箱形六面体に折り曲げ形成したケース本体１０と、このケース本体１０の左右両側板部１３に設けた丸孔１７に基端部２２を挿入支持されてケース本体１０内でロール巻きされたペーパー４０の芯筒４１内に両側から差し込んで保持する一対の芯保持片とを備え、ケース本体１０の一側面にペーパー引き出し口１９が形成され、かつ丸孔１７を形成された側板部１３は開閉可能にして掛け止め手段によって閉止する構造にされ、ケース本体１０のペーパー引き出し口１９が設けられた面以外のいずれか一面に壁面などに着脱可能な固定保持部材３０が取り付けられた構造である。【選択図】図１
0003210100.tif 000002
【実用新案登録請求の範囲】
【請求項１】
所定厚さのプレートを所定の形状寸法で箱形六面体に折り曲げ形成したケース本体と、このケース本体の左右両側板に設けられた丸孔に基端部を挿入支持されてケース本体内でロール巻きされたペーパーの芯筒内に両側から差し込んで保持する一対の芯保持片とを備え、前記ケース本体の一側面にペーパー引き出しスリットが形成され、かつ前記丸孔を形成された側板部は開閉可能にして掛け止め手段によって閉止する構造にされ、ケース本体の前記スリットが設けられた面以外のいずれか一面に壁面などに着脱可能な固定保持部材が取り付けられていることを特徴とするペーパーホルダー。
【請求項２】
前記芯保持片は、所定厚さのプレートでロール巻きペーパーの芯筒内径よりやや狭い幅寸法にして、かつ前記ロール巻きペーパーの幅寸法の１／２より長い寸法の主体部と、その軸線方向に直交して両側に突き出す鍔部を備える基端部とが連接され、前記基端部には前記ケース本体の左右側板部に設けられた丸孔に挿通できる幅寸法にされており、前記主体部の先端部分にＶ字型の切込みが形成されたものであり、このような形状の芯保持片一対がロール巻きペーパーの芯筒内に相対向して挿入し前記先端部の切込みを係合させることによりケース本体内でロール巻きペーパーを支持できる構成である請求項１に記載のペーパーホルダー。
【考案の詳細な説明】
【技術分野】
【０００１】  本考案は、たとえばキッチンペーパーのようにロール状に巻かれたペーパーを収容するとともに、そのペーパーを引き出して切り取る操作を容易にするペーパーホルダーに関するものである。
【背景技術】
【０００２】  従来、ロール巻きされたペーパー、たとえばキッチンペーパーの場合、必要量ずつ取り出して使用するのが便利なように一定長さ寸法で切り目線が付されものを容器の中に収容して、その容器の一部に設けられた取り出し口から引き出して切り目線部分で切り取って使用できるようにした収容容器について既に種々な構造のものが提案されている。【０００３】  前記キッチンペーパーの収容容器については、例えば箱形直六面体に形成されたケース本体の上面にミシン目にてなるペーパー取出し部を設け、その取り出し部を設けた面の両側面に相対向してペーパーの芯部に対応する開口部を形成し、別途に予め適所で取り付けてあるホルダーのアーム先端に設けられた保持部を前記ケース本体の両側の開口部に嵌め合わすことにより、ケース本体を支持するとともに収容したロール巻きペーパーを引き出して使用できるようにしたものが特許文献１によって知られている。【０００４】  ホルダーを吸盤などで壁面に取り付けた基体から前方に突き出して左右相対向する一対のアームによってロール巻きされたペーパーの芯管を両側から保持するようにしてなるペーパーのホルダーについては、例えば特許文献２によって開示されている。【０００５】  さらに、背面部を吸盤などで壁面に定着できる様にした箱型六面体で、その前半部が下面前端部でヒンジ付けされて開閉可能にされたケース本体の内部に、開放できるケース本体の両内側面に設けられて芯管端を支持できる様にした突出部（ロールの保持部）を設け、ケース本体を開いて内部にロール巻きされたペーパーの両端を前記突出部で保持させてケースの開放部を閉じると、ペーパーを収容でき、開閉可能なケース前半部の上側に形成される取り出し部の隙間からペーパーを引き出して使用できる様にしたキッチンペーパーホルダーが特許文献３によって開示されている。【０００６】  しかしながら、従来技術によるロール巻きされたペーパーホルダーは、前記特許文献１で知られるようにロール巻きされたペーパーを収容する箱型容器と、この箱型容器を保持する別途固定したホルダーとの組み合わせによってはじめて容器内からペーパーが取り出される構成のものである。したがって、ロール巻きされたペーパーは、密閉された箱形容器（ケース）内に収容されている状態のものを対象としなければならないという点で、特定のものに限定されるという問題点がある。【０００７】  また、前記特許文献２によって知られるものは、複雑な構造のホルダー本体を対象とするもので、フリーの状態のロール巻きされたペーパーを使用できる点で前記特許文献１によって知られるものに比べて汎用性はあるが、ホルダーそのものが嵩張り、かつ複雑な構造になっているので価格的に高価となる点で問題がある。【０００８】  さらに、特許文献３によって知られるものは、一見構造的に簡単であるがホルダー本体が内部を開放できるボックス型に成形されたものであり、構造的にも複雑化して高価なものとなる。
【先行技術文献】
【特許文献】
【０００９】
【特許文献１】実開平０１−１０５５９３号公報
【特許文献２】実開昭６３−００５９４３号公報
【特許文献３】実用新案登録第３０９６１８８号公報
【考案の開示】
【考案が解決しようとする課題】
【００１０】  本考案は、前述のような問題点を解消するためになされたもので、プラスチックの薄板材または板紙で箱組してロール巻きペーパーの収容体とし、この収容体（箱体）内にロール巻きペーパーを回転可能に収容した簡単な構造で、取扱いが便利なペーパーホルダーを提供することを目的とするものである。
【課題を解決するための手段】
【００１１】  前記目的を達成するために、本考案によるペーパーホルダーは、
所定厚さのプレートを所定の形状寸法で箱形六面体に折り曲げ形成したケース本体と、このケース本体の左右両側板に設けられた丸孔に基端部を挿入支持されてケース本体内でロール巻きされたペーパーの芯筒内に両側から差し込んで保持する一対の芯保持片とを備え、前記ケース本体の一側面にペーパー引き出しスリットが形成され、かつ前記丸孔を形成された側面板は開閉可能にして掛け止め手段によって閉止する構造にされ、ケース本体の前記スリットが設けられた面以外のいずれか一面に壁面などに着脱可能な固定保持部材が取り付けられていることを特徴とするものである。【００１２】  また、本考案では、前記芯保持片は、所定厚さのプレートでロール巻きペーパーの芯筒内径よりやや狭い幅寸法にして、かつ前記ロール巻きペーパーの幅寸法の１／２より長い寸法の主体部と、その軸線方向に直交して両側に突き出す鍔部を備える基端部とが連接され、前記基端部には前記ケース本体の左右側板部に設けられた丸孔に挿通できる幅寸法にされており、前記主体部の先端部分にＶ字型の切込みが形成されたものであり、このような形状の芯保持片一対がロール巻きペーパーの芯筒内に相対向して挿入し前記先端部の切込みを係合させることによりケース本体内でロール巻きペーパーを支持できる構成とするのがよい。【００１３】  また、前記考案において、ケース本体を支持するための固定保持部材は、ケース本体の外面に定着する磁性体または吸盤であるのがよい。なお、磁性体としては、ゴム質の材料に磁性金属粉を練り込んである板片とし、接着剤にてケース本体に少なくとも２か所に定着させておくのがよい。また、吸盤はケース本体の一部に取り付け孔を設けて吸盤基部を嵌め込んで取付けるのがよい。
【考案の効果】
【００１４】  この考案によれば、薄板材でロール巻きしたペーパーを回転可能に収容するとともに、使用場所での取り付けも容易で、かつペーパーの出し入れも簡単で衛生的に取り扱える構成としたペーパーホルダーである。そして、箱形のケース本体に対して収容するロール巻きしたペーパーを、ケース本体内で回転可能にするための芯支持部片がケース本体の両側板に設けた丸孔で基端部を支持するに際し、その側板部が二重構造にした閉じ蓋片にて薄板での構成にかかわりなく安定して支持できるようにされるので、安価にして長期間での使用に供し得るものであるという利点がある。
【図面の簡単な説明】
【００１５】
【図１】図１はこの考案に係るペーパーホルダーの全体斜視図である。
【図２】図２はケース本体の要部を開放状態で表す斜視図（ａ）と側端部を閉じた状態で表す斜視図（ｂ）である。
【図３】図３はキッチンペーパーの芯保持片を表す斜視図である。
【図４】図４は芯保持片とキッチンペーパーとを組み合わせた態様を表す図である。
【図５】図５（ａ）（ｂ）（ｃ）は芯保持片の他の形態を表す図である。
【考案を実施するための最良の形態】
【００１６】  次に、この考案よるペーパーホルダーの一実施形態について、図面を参照しつつ説明する。【００１７】  この実施形態のペーパーホルダー１は、所定の肉厚（例えば、０．３〜０．５ｍｍ）のプラスチックプレートを内法が収容するロール巻きペーパー（具体的には、「キッチンペーパー」、以下「キッチンペーパー４０」という。）が収まるように折り曲げて箱形六面体に形成されたケース本体１０と、このケース本体１０内でキッチンペーパー４０を回転可能に支持するように組み込まれる芯保持片２０およびケース本体１０を壁面などに取り外し可能に定着させる固定保持部材３０とで構成されている。【００１８】  前記ケース本体１０は、図２（ａ）（ｂ）で示すように、胴部１１となる部分を所定寸法の４面に折り曲げて折り曲げ端部１２を内面で閉じ合わせて接着し、左右の両側板部１３は胴部１１と連接する折り曲げ線ａ，ｂから二面を胴部１１の開口１１ａを閉じる閉じ蓋片１４として形成される。そして、前記左右の閉じ蓋片１４は、内外両閉じ蓋片１４ａ，１４ｂからなり、その一方の閉じ蓋片（以後「内閉じ蓋片１４ｂ」という）は前記胴部１１の開口１１ａに合わせる方形にされ、他方の閉じ蓋片（以後「外閉じ蓋片１４ａ」という）には閉じ合わせ後に胴部１１に固定するための折り返し部部分として形成された閉止部片１４ｃを連接するとともに先端部に切線によって形成され対向する胴部１１に設けた係止孔１６に対し掛け止める係止爪１５が設けてある。【００１９】  そして、前記内外両閉じ蓋片１４ａ，１４ｂの中央位置にはケース本体１１としてキッチンペーパー４０を回転可能に収容して支持する芯保持片２０の基端部を受支するための丸孔１７，１７′が設けてある。また、前記胴部１１の開口縁で前記閉じ蓋片１４ａ，１４ｂを連接した以外の二辺には閉じ蓋片１４ａ，１４ｂを受け止めるための補助片１８，１８がそれぞれ折り曲げ線ｃ，ｄを介して連接されている。このように構成することで側板部１３が、補助片１８，１８による内閉じ蓋片１４ｂの受け止めと外閉じ蓋片１４ａとの二重構造によってキッチンペーパー４０を支持する芯保持片２０の基端部２２を安定して保持することができる。【００２０】  また、前記胴部１１には、前記外閉じ蓋片１４ａを係止する係止孔１６の設けられている面と反対位置の面に、その中間位置で幅方向（胴部の長手方向）にスリットが設けられ、このスリットがペーパー取出し口１９となる。なお、ペーパー取出し口１９の中央部分にはスリットから両側（胴の短辺方向）に刳り込んだペーパー端をつまんで引き出す操作が容易なようにする指挿入部１９ａが設けてある。【００２１】  一方、前記芯保持片２０は、図３で示されるように、１枚のプレートを短冊形にして、その幅寸法がキッチンペーパー４０の芯筒４１の内径よりやや狭い寸法で、かつ長さが前記キッチンペーパー４０の幅寸法Ｌの１／２よりも長い寸法の主体部２１と、その軸線方向に直交して両側に突き出す鍔部２３を主体部２１に隣接して備える基端部２２とが連接されており、前記基端部２２の幅が前記ケース本体１０の閉じ蓋片１４ａ，１４ａに設けられた丸孔１７に挿通できる寸法になっている。また、主体部２１の先端部分には中心線上に所定寸法でＶ字型の切込み２４が形成されている。【００２２】  このようにされた一対の芯保持片２０，２０は、図４に示すように、主体部１先端部分のＶ字型切込み２４，２４どうしを係合させると、両方の基端部２２に突出形成の鍔部２３，２３間にキッチンペーパー４０が収まる寸法となっている。なお、この芯保持片２０は、キッチンペーパー４０を安定保持できるように、基端部２２とその近傍を例えばプレートを二重に重ねて一体にしておくのが好ましい。そして、基端部２２に設けられた鍔部２３は、キッチンペーパー４０の芯筒４１に挿入して取付けることにより、ケース本体１０内にキッチンペーパー４０を収容保持させた状態で閉じ蓋片１４の丸孔１７に基端部２２を挿入して保持させた状態で外部に抜け出すのを防止する働きをして、安定保持させるのに役立つ。【００２３】  また、前記ケース本体１０の胴部１１には、前記ペーパー取出し口１９を有する面以外の三面のうちいずれか一面（実施形態ではペーパー取出し口１９と反対の面）の外に、ホルダーの固定保持部材３０として胴部１１の短辺方向に合わせた長さで所定幅にした短冊状で２〜３ｍｍ程度の厚さにてなる磁性体が両端寄りに接着剤（両面粘着テープをもちいてもよい。）で貼着され、磁性金属製物体（例えば鋼板製の物体）の外壁面に吸着保持できるようにされている。なお、前記磁性体（固定保持部材３０）としては、ゴム質の材料に磁性金属粉を練り込んでなる公知の磁性板片が好ましい。【００２４】  また、前記ホルダーの固定保持部材３０としては、樹脂製の吸盤をケース本体１０の胴部適所に小穴を開けて基部を嵌め込み取付けて使用するようにしてもよい。なお、固定保持部材３０の取付面については、ペーパー取出し口１９の向きを下向き、あるいは上向きにするなど使用状況に合わせて選択することも可能である。【００２５】  このように形成された本実施形態のペーパーホルダー１は、まずケース本体１０の一方の内外閉じ蓋片１４ａ，１４ｂを閉じて係止片１５を胴部１１の係止孔１６に掛け止めで閉じた状態にする。次いで、収容しようとするロール巻きされたキッチンペーパー４０の芯筒４１に対し、両側から芯保持片２０，２０の主体部２１，２１を差し込んで、両芯保持片２０の先端部切込み２４，２４を掛け合わせると、芯保持片２０の基端部２２に設けられている鍔部２３の内側がキッチンペーパー４０の側端に近接した状態となり、両芯保持片２０の基端部２２がロール巻きしたキッチンペーパー４０の両端から突き出した状態となる（図４参照）。【００２６】  そこで、芯保持片２０を装着したキッチンペーパー４０を開放されたケース本体１０の一方の開口１１ａから内部に挿入し、挿入された側の芯保持片２０の基端部２２を閉止側の側板部１３の閉じ蓋片１４ａ，１４ｂの丸孔１７に内側から挿通させる。次いで、開放側の補助片１８，１８並びに内外閉じ蓋片１４ａ，１４ｂを順次閉じ、閉じ蓋片に設けてある丸孔１７に他方の芯保持片２０の基端部２２を嵌め合わせた後，外閉じ蓋片１４ａの係止片１５を胴部１１の係止孔１６にかけとめる。こうすることによりケース本体１０内にロール巻きされたキッチンペーパー４０が回転可能な状態で収容される。【００２７】  この状態にされたペーパーホルダー１は、ケース本体１０の外側面に取り付けられている固定保持部材３０（磁性体）をキッチンに設置されている例えば冷蔵庫の外側面の適所にあてがえば、概ね冷蔵庫の躯体が化粧鋼板（塗装されている）でできているので磁力によって吸着し、固定保持される。こうして、キッチンの適所に装着しておけば、ペーパーホルダー１の取出し口１９から収容されているキッチンペーパー４０の端部を引き出して使用に供することができる。また、キッチンペーパー４０はケース本体１０内に収容されるので、衛生的に取り扱うことができる。なお、一般的にロール巻きされたキッチンペーパー４０は、使用に供するのに適した長さ位置でミシン目が付されているから、引き出すと同時にそのミシン目で切り離すことにより一回の使用分が取り出して使用できる。【００２８】  また、本考案のペーパーホルダー１を取付ける場所で磁性体が使用できない場合には、固定保持部材として吸盤を使用すればよい。【００２９】  前述のようにしてキッチンの適所にペーパーホルダー１を取付けておくことにより、便利に使用できることになる。そして、収容されているペーパーがなくなれば、そのペーパーホルダー１を磁性体（固定保持部材３０）による装着個所から取り外して一方の閉じ蓋片１４ａ，１４ｂを開く（キッチンペーパーの収容操作と逆に操作する）ことにより、使用済みの芯筒４１とともに芯保持片２０が取り出せるので、新しいロール巻きされたキッチンペーパー４０を前述のようにその芯筒４１に芯保持片２０を装着してケース本体１０内に収容し、改めて所定位置に装着して使用することができる。【００３０】  以上の説明において、ケース本体１０についてプラスチックプレートを用いたものついて記載したが、板紙を用いて形成することも可能であり、また、芯支持片としては、図５（ａ）〜（ｃ）で例示するように、前記プレートあるいは板紙で芯筒内に挿入可能な外形となる断面十字型２０Ａ、多角形２０Ｂなどに折り曲げたものを使用して同様の効果を得ることができる。また、必要に応じて発泡樹脂で基端部に鍔を付けた円柱形２０Ｃのものであってもよく、この場合は支持可能な範囲で挿入部（主体部に相当）の長さを短くしてもよい。これらは何れも本考案の技術的範囲に属することは言うまでもない。【００３１】  また、上記実施形態ではキッチンペーパーについて記載したが、クッキングペーパーなどロール巻きしたシート類のホルダーとしても使用できるものである。
【符号の説明】
【００３２】１        ペーパーホルダー
１０      ケース本体
１１      胴部
１４      蓋閉じ片
１４ａ    外蓋閉じ片
１４ｂ    内蓋閉じ片
１５      係止爪
１６      係止孔
１９      ペーパー取出し口
２０      芯保持片
２２      芯保持片の基端部
２３      鍔部
３０      固定保持部材（磁性体）
４０      キッチンペーパー
４１      芯筒
【図１】
0003210100.tif 000003
【図２】
0003210100.tif 000004
【図３】
0003210100.tif 000005
【図４】
0003210100.tif 000006
【図５】
0003210100.tif 000007